(57)【要約】【課題】多様なサイズのスプレーボトルを使用できるとともに消毒液の噴霧位置を自在に調整可能で、かつ屋外に設置しても衛生的な足踏み式の消毒液用のスタンドを提供する。【解決手段】基台２と、中空の支柱４と、支柱の上端と下端の間に支柱の上下方向に調整自在に締結され、押圧部１０１を押圧することによりノズル１０２から液を射出するスプレーボトル１０を載置するボトル置台５と、足踏みペダル３と、足踏みペダルを踏み込むことで押圧部を押圧部材７２で押圧するように構成された足踏み力伝達機構７と、踏み込みを解除することで押圧部の押圧が解除されて押圧部材の位置が足踏みをしていない場合の位置に戻るように足踏み力伝達機構に付勢した弾性部材７１と、を有する足踏みスタンドにおいて、足踏み力伝達機構の押圧部材の押圧位置を上下方向に調整可能な押圧位置調整機構７４を設けたことを特徴とする。【選択図】図５
0003231410.tif 000002
【実用新案登録請求の範囲】
【請求項１】
基台と、
前記基台から上方に向けて立設する内部が中空の支柱と、
前記支柱の上端と下端の間に前記支柱の上下方向に調整自在締結され、収容容器の上方に設けられた押圧部を押圧することにより前記容器内部に収容された収容物を押圧部と一体のノズルから射出するスプレーボトルを載置するボトル置台と、
前記基台に設けられた回動ピンを中心軸として自在に回動する足踏みペダルと、
前記支柱の中空部に配置されるとともに前記足踏みペダルを踏み込むことで前記押圧部を押圧部材で押圧するように構成された足踏み力伝達機構と、
前記足踏みペダルの踏み込みを解除することで前記足踏み力伝達機構による前記押圧部の押圧が解除されて前記押圧部材の位置が足踏みをしていない場合の位置に戻るように前記足踏み力伝達機構に付勢した弾性部材と、を備え、
前記足踏み力伝達機構の前記押圧部材の押圧位置を上下方向に調整可能な押圧位置調整機構を設けたことを特徴とする足踏みスタンド。
【請求項２】
前記押圧位置調整機構は、互いの一部が対向するように配置された前記押圧部を押圧する前記押圧部材と足踏み力を前記弾性部材に伝達する伝達部材を有し、
前記押圧部材または前記伝達部材の少なくとも一方に一か所以上の雌ねじを設け、他方の部材には前記雌ねじと対向する位置に上下方向に延びた長孔を有し、あるいは前記押圧部材または前記伝達部材の少なくとも一方に複数の雌ねじを上下方向に配列するように設け、他方の部材には前記雌ねじのうち少なくとも一か所以上と対向する位置に開口を配置し、
前記長孔あるいは前記開口の位置を上下方向に移動させて前記押圧部材と前記伝達部材をねじ締結することにより前記押圧部材の押圧位置を調整することを特徴とする請求項１に記載の足踏みスタンド。
【請求項３】
前記押圧部材と前記伝達部材は、蝶ナット、蝶ボルト、ローレットねじなど手作業にて締結されることを特徴とする請求項２に記載の足踏みスタンド。
【請求項４】
前記伝達部材は前記足踏みペダル側に突出した突出部を有する板部材であり、該突出部は該足踏みペダルと係止することにより踏み込み力を伝達することを特徴とする請求項２または３に記載の足踏みスタンド。
【請求項５】
前記押圧位置調整機構は前記押圧部を押圧する前記押圧部材と、足踏み力を前記押圧部材に伝達する伝達部材としての鎖を有し、
前記弾性部材の一端を前記押圧部材に固定し、前記弾性部材の他方の一端を前記支柱に固定された弾性部材固定部材に固定し、前記押圧部材と前記足踏みペダルそれぞれに前記鎖を係止するための係止部材を設け、
それぞれの前記係止部材に係止する前記鎖の係止位置を調整することにより前記押圧部材の押圧位置を調整することを特徴とする請求項１に記載の足踏みスタンド。
【請求項６】
前記弾性部材固定部材を前記支柱に固定する部位に上下方向に延びた複数の長孔が形成され、該長孔と対向する前記支柱の部位に雌ねじを設け、
あるいは前記支柱に設けられた前記雌ねじを上下方向に複数配列するように設け、
前記弾性部材固定部材に前記雌ねじと対向する位置に開口を配置し、
前記長孔あるいは前記開口の位置を上下方向に移動するように前記弾性部材固定部材を移動させて前記支柱にねじ締結することにより、前記弾性部材による前記押圧部材に対する付勢力を調節することを特徴とする請求項５に記載の足踏みスタンド。
【請求項７】
前記弾性部材固定部材と前記支柱は、蝶ナット、蝶ボルト、または、ローレットねじを用いて手作業にて締結されることを特徴とする請求項６に記載の足踏みスタンド。
【請求項８】
前記足踏み力伝達機構の移動方向を規制する前記支柱の中空部に設けられた一個または複数のガイドを有し、
前記足踏み力伝達機構が前記ガイドと接触部位に潤滑部材を設けることを特徴とする請求項１〜７のいずれか１項に記載の足踏みスタンド。
【請求項９】
前記潤滑部材は樹脂フィルムであることを特徴とする請求項８に記載の足踏みスタンド。
【請求項１０】
前記ボトル置台は正面視で両横の部位が立設したコの字状に形成されるとともに前後方向に延びた複数のスリットを両横それぞれに設け、
複数のスリットは上下方向に配置され、
前記ボトル置台の一方の側の該スリットから他方の側のスリットに挿抜板を挿入して前記スプレーボトルを載置し、
前記挿抜板の前記スリットの挿入位置を選択することで前記スプレーボトルの載置高さを調整することを特徴とする請求項１〜９のいずれか１項に記載の足踏みスタンド。
【請求項１１】
前記挿抜板は前記スリットへの挿入方向と逆方向側に挿入距離を規定する過挿入防止部を設け、該挿抜板の前記スリットへの挿入方向側に該挿入板を前記スリットに挿入した後に該スリットから抜けることを防止するための係止ピンを挿入するためのピン穴を設けたことを特徴とする請求項１０に記載の足踏みスタンド。
【請求項１２】
前記支柱の上端側に前記ボトル置台を覆うようにカバーを設けたことを特徴とする請求項１〜１１のいずれか１項に記載の足踏みスタンド。
【請求項１３】
前記ボトル置台は該ボトル置台を前記支柱に固定するための固定部材を有し、
前記支柱が該固定部材と対向する部位に一か所以上の雌ねじあるいは上下方向に配列された複数の雌ねじを設け、
該雌ねじと対向する前記固定部材の部位に上下方向に延びた長孔あるいは開口を設け、
前記長孔あるいは前記開口の位置を上下方向に移動させてねじ締結することにより前記ボトル置台のボトル高さ位置を調整することを特徴とする請求項１〜１２のいずれか１項に記載の足踏みスタンド。
【請求項１４】
前記ボトル置台は、蝶ナット、蝶ボルト、ローレットねじなど手作業により締結されることを特徴とする請求項１３に記載の足踏みスタンド。
【請求項１５】
前記押圧部のノズル位置が前記基台から８０ｃｍ〜１００ｃｍの高さであることを特徴とする請求項１〜１４のいずれか１項に記載の足踏みスタンド。
【考案の詳細な説明】
【技術分野】
【０００１】
本考案は、スプレーボトルに充填されたアルコール消毒液やシャンプーなど、手を用いずに容器から射出させて利用することができる足踏みスタンドに関する。
【背景技術】
【０００２】
最近の社会情勢として、コロナウイルスの蔓延により商店やスーパーへの入店前に手を消毒することが求められている。このため、アルコール消毒用のスプレーボトルが店先に置かれることが多く、入店前にスプレーボトルのキャップを手で操作してノズルからアルコールを手に噴霧することで手を消毒するようにしている。
しかしながら、ウィルスは手からの感染もあり、不特定多数の人間が接触したスプレーボトルを素手で触って操作することで、これが逆に感染源となってしまう恐れがあった。
【０００３】
そこで、スプレーボトルを素手で触ることなく消毒液を噴霧可能な足踏み式の消毒液用のスタンドが提案されている（特許文献１）。
これは足踏みペダルを足で踏み込むことによりスプレーボトルのキャップ部を押圧することで手を用いずに容器内のアルコールを噴霧するものであり、手で操作する必要がないため容器を手で触ることによる感染の恐れがなくなるものである。
ここで、スプレーボトルは多種多様であり、様々な大きさのスプレーボトルに対応する必要がある。特許文献１ではボトルの置台の位置を調整することでこれに対応するようにしているが、スプレーボトルのキャップ部を押圧する押圧部材を上下に位置調整することで多様なボトルに対応するものもある（特許文献２）。
【０００４】
しかしながら、これらは、ノズル位置は固定であり、噴霧位置を調整することができない。例えば小学校等ある特定の集団でこれを用いる場合、大人が使用することが無いため、不特定多数が用いる場合よりも噴霧位置を下げることが望ましいがこれには対応できていない。これを解決するものとしてスプレー置台の位置とスプレーボトルの押圧部が同時に移動することで消毒液の噴霧位置を調整するものもある（特許文献３）。
【先行技術文献】
【特許文献】
【０００５】
【特許文献１】実用新案登録第３２２７８７０号
【特許文献２】特開２０１２−０９０７２１号
【特許文献３】実用新案登録第３１８８０１４号
【考案の概要】
【考案が解決しようとする課題】
【０００６】
特許文献１、２は多種多様なボトルに対応することができるが噴霧位置の調整ができないという問題があり、特許文献３は噴霧位置の調整は可能であるが、多種多様なボトルに対応することができない、という課題があった。
また、特許文献１〜３に示すような足踏みスタンドを店先に配置するような場合、多くは室外に置かれることになるが、室内に比べれば埃等がボトルに付着する機会が多くなるため、衛生上の問題もある。
本考案の目的はこれらの課題を解決し、多種多様なボトルに対応しつつ、噴霧位置を調整することが可能な構造が簡単で安価に実現可能な足踏みスタンドを提供することにある。
【課題を解決するための手段】
【０００７】
本考案に係る足踏みスタンドは、基台と、前記基台から上方に向けて立設する内部が中空の支柱と、前記支柱の上端と下端の間に支柱の上下方向に調整自在に締結され、収容容器の上方に設けられた押圧部を押圧することにより前記容器内部に収容された収容物を押圧部と一体のノズルから射出するスプレーボトルを載置するボトル置台と、前記基台に設けられた回動ピンを中心軸として自在に回動する足踏みペダルと、前記支柱の中空部に配置されるとともに前記足踏みペダルを踏み込むことで前記押圧部を押圧部材で押圧するように構成された足踏み力伝達機構と、前記足踏みペダルの踏み込みを解除することで前記足踏み力伝達機構による前記押圧部の押圧が解除されて前記押圧部材の位置が足踏みをしていない場合の位置に戻るように前記足踏み力伝達機構に付勢した弾性部材と、を有する足踏みスタンドにおいて、前記足踏み力伝達機構の前記押圧部材の押圧位置を上下方向に調整可能な押圧位置調整機構を設けたことを特徴とする。
【０００８】
さらに、本考案に係る足踏みスタンドは、前記支柱の上端側に前記ボトル置台を覆うようにカバーを設けたことを特徴とする。
【考案の効果】
【０００９】
請求項１に記載の考案によれば、手で触ることなくスプレーボトルを操作することが可能な足踏みスタンドにおいて、多種多様なスプレーボトルに対応することができるとともに噴霧位置を簡単な構造で調整することができるため、様々な種類のスプレーボトルを使用可能で、使用者の集団に応じて噴霧位置を最適化することができる。
【００１０】
請求項２に記載の考案によれば、簡単な構造で構成することができるため、安価に実現することが可能である。
【００１１】
請求項３に記載の考案によれば、工具を用いることなく調整することができるため、調整が容易である。
【００１２】
請求項４に記載の考案によれば、簡単な構造で伝達部材を構成することができるため、安価に実現することが可能である。
【００１３】
請求項５に記載の考案によれば、簡単な構造で足踏み力伝達機構を構成することができるため、安価に実現することが可能である。
【００１４】
請求項６に記載の考案によれば、請求項５に記載の足踏みスタンドにおける押圧部材の調整位置に応じて弾性部材の付勢力を調整することができるため、足踏みの踏み込み感を一定にすることができる。
【００１５】
請求項７に記載の考案によれば、弾性部材固定部材の位置調整をして支柱に固定する際、蝶ナット、蝶ボルト、ローレットねじなど手作業で締結するため工具を用いることなく簡便に作業することができる。
【００１６】
請求項８に記載の考案によれば、足踏みペダルを踏み込んだときに移動する足踏み力伝達機構の押圧部材、伝達部材の移動方向を規制するガイドと押圧部材、伝達部材が接触する部位に潤滑部材を設けたため、足踏みペダルを踏み込んだ時の移動を滑らかに行うことができ、踏み込み感に違和感を感じることがない。
【００１７】
請求項９に記載の考案によれば、潤滑部材を樹脂フィルムとするため、これを安価に実現することができる。
【００１８】
請求項１０に記載の考案によれば、ボトル置台の両横部に設けられた複数のスリットに挿入した挿抜板にスプレーボトルを載置し、挿入位置を調整することでスプレーボトル高さを調整することができるため、簡便で安価に実現することができる。
【００１９】
請求項１１に記載の考案によれば、ボトル置台に挿入してスプレーボトルを載置する挿抜板に過挿入防止部と、抜け止め用の係止ピンを挿入するピン穴を設けることにより、スリットへ挿抜板を挿入する際に挿入し過ぎることなく、また挿入後に挿抜板が外れることがない。
【００２０】
請求項１２に記載の考案によれば、ボトル置台を覆うカバーを設けるため、足踏みスタンドを室外に配置しても衛生的に使用することができる。
【００２１】
請求項１３に記載の考案によれば、ボトル置台の高さ方向を簡単な構成で調整できるため、安価に実現することができる。
【００２２】
請求項１４に記載の考案によれば、ボトル置台の高さ方向を調整する際、工具を用いることなく調整できるため、調整が容易である。
【００２３】
請求項１５に記載の考案によれば、スプレーボトルのノズル位置を８０ｃｍ〜１００ｃｍの間に設定することにより、アルコールを手に噴霧する際、大人はかがむことなく、かつ子供は背伸びすることなく実行できる。
【図面の簡単な説明】
【００２４】
【図１】図１は本考案に係る足踏みスタンドの斜視図である。
【図２】図２はスプレーボトルを載置するボトル置台の支柱への取り付けと挿抜板の挿入・抜け止めを説明する図である。
【図３】図３は本考案に係る足踏みスタンドの足踏み力伝達機構の第１の実施例であり、スプレーボトルノズルと一体の押圧部を押圧する押圧部材と、Ｌ字状に曲げられた板で構成された伝達部材で構成されている。
【図４】図４は第１の実施例における足踏み力伝達機構の押圧位置調整機構を説明する図である。
【図５】図５は第１の実施例における足踏み力伝達機構の押圧位置調整機構を図４と逆方向から示し、移動方向を規定する複数ガイドとこのガイドと接触する部位に設けた潤滑部材を説明する図である。
【図６】図６は本考案に係る足踏みスタンドの足踏み力伝達機構の第２の実施例であり、伝達部材として鎖を用いたことを説明する図である。
【図７】図７は第２の実施例における足踏み力伝達機構の押圧位置調整と付勢ばねの付勢力を調整するための弾性部材固定部材の位置調整を説明する図である。
【図８】図８は第２の実施例における足踏み力伝達機構の押圧位置調整を図７と逆方向から示し、移動方向を規定するガイドとこのガイドと接触する部位に設けた潤滑部材を説明する図である。
【考案を実施するための形態】
【００２５】
本考案は、手で触ることなくスプレーボトルを操作することが可能な足踏みスタンドにおいて、多種多様なスプレーボトルに対応することができるとともに噴霧位置を簡単な構造で調整することができるため、様々な種類のスプレーボトルを使用可能で、使用者の集団に応じて噴霧位置を最適化することを目的としたもので、足踏みスタンドは基台と、基台から立設する中空の支柱と、支柱の上端と下端の間に支柱の上下方向に調整自在締結されたスプレーボトルを載置するボトル置台と、基台に設けられた回動自在な足踏みペダルと、支柱の中空部に配置され、足踏みペダルを踏み込むことでスプレーボトルの押圧部を押圧する足踏み力伝達機構と、足踏みペダルの踏み込みを解除することでスプレーボトルの押圧部材の位置が戻るように足踏み力伝達機構に付勢した弾性部材と、押圧部材の押圧位置を上下方向に調整可能な押圧位置調整機構を設けている。
【００２６】
図１〜図５に従って第１の実施例を説明する。
足踏みスタンド１は図１に示すように、ベースとしての基台２から上方に向かって立設している支柱４と、基台２に取り付けられた足踏みぺダル３と、アルコール消毒液を内蔵した容器１０３の上部にアルコールを噴霧するノズル１０２と一体の押圧部１０１を有するスプレーボトル１０を載置するボトル置台５と、ボトル置台５の上方にスプレーボトル１０を覆うように設置されたカバー６と、支柱４の中空部内に設置され、スプレーボトル押圧部１０１を押圧する足踏み力伝達機構７で構成されている。
【００２７】
足踏みペダル３は基台２に取り付けられた回動ピン３１を中心として、回動自在であって、アルコール消毒液を噴出させるために踏み込むものである。
【００２８】
支柱４は内部が中空の角パイプ状となっており、足踏みペダル３の先端が所定量入り込むような切り欠き部４１を有している。支柱４内の中空部は、足踏みペダル３を踏み込んだとき、その踏み込み動作をスプレーボトル１０の押圧部１０１を押圧するように踏み込み力を変換する足踏み力伝達機構７が内蔵されている。足踏み力伝達機構７については後述する。
【００２９】
スプレーボトル１０は容器１０３内に消毒用アルコールが収容されており、スプレーボトル１０の上部にある押圧部１０１を押圧することで、押圧部１０１と一体のノズル１０２からアルコールを噴霧するものである。
このようなスプレーボトルは多種多様であり、メーカにより大きさ、高さは一様ではない。
【００３０】
ボトル置台５はスプレーボトル１０を載置する台であり、支柱４の上端４２と下端４３の間にねじで固定されている。図２に示すように、固定するために支柱４の前面には複数の雌ねじ４４が２ヶ所に形成されていて、ボトル置台５の下部に形成されている固定部材５３側からローレットねじ５５で締結している。固定部材５３にはローレットねじ５５が貫通する長孔５４が２ヶ所に形成されていて、ボトル置台５を上下方向に位置調整可能な構造となっている。また、ローレットねじ５５を用いることで、工具を用いる必要なくボトル置台５を固定することが可能である。ここで、ローレットねじの代わりに蝶ナット、蝶ボルトを使用することもできる。
長孔５４を通常の貫通穴として、雌ねじ４４を左右一組として上下方向に複数組に配列してもよい。
【００３１】
ボトル置台５は正面視で両横の部位がコの字状に立設壁５９ａ、５９ｂをなしており、ここに上下方向に複数のスリット５２が形成されている。一方の立設壁５９ａのスリット５２から他方の立設壁５９ｂのスリット５２に挿抜板５１を挿入し、ここにスプレーボトル１０を載置する。挿抜板５１を挿入するスリット５２の位置を変更することでスプレーボトル１０の載置高さを調整することができるため、高さが異なるボトルでも簡便に使用することができる。
ボトル置台５の下部はトレイ状になっており、消毒液の噴霧時にこぼれた液を外部に漏らすことがなく清潔である。トレイを引き出し可能として清掃しやすくしてもよい。
【００３２】
挿抜板５１の挿入方向の逆側はＬ字状となっており、スリット５２に挿入した際、このＬ字部で止まるまで押し込めばいいだけなので、作業が簡便である。挿抜板５１の挿入が完了した後、係止ピン５６を挿抜板５１のＬ字部と逆方向の端に形成したピン穴５８に挿入することで、挿抜板５１の抜け止めとなる。係止ピン５６はボトル置台５と係止ピン紛失防止用ワイヤ５７で接続されており、係止ピン５６の紛失防止がなされている。
【００３３】
図１に示すように、ボトル置台５の上部にはスプレーボトル１０を覆うようにカバー６が支柱４の上端に配置されており、埃等がスプレーボトル１０に積もることを抑制している。このような足踏みスタンド１は店舗の入口に配置されることが想定され、室外であることから可能な限り清潔さを保つことが求められるが、カバー６により、これを達成できる。
【００３４】
図３〜図５は足踏み力伝達機構７を説明するための図を示す。
図３に示すように足踏みペダル３を踏み込むと回動ピン３１を中心としてＡ方向に回動する。足踏み力伝達機構７を構成している伝達部材７３はＬ字状であり、足踏みペダル３がこのＬ字部を押下することで伝達部材７３とねじ締結された押圧部材７２をＢ方向に移動させてスプレーボトル１０の押圧部１０１を押圧する。この結果スプレーボトル１０の容器１０３内に収容されたアルコールがノズル１０２から噴霧される。
足踏みペダル３の踏み込みを解除すると、足踏みペダル３と基台２の間に配置された付勢ばね７１の戻り力により、ペダルは元の位置に復帰する。
【００３５】
図４は足踏み力伝達機構７の斜視図である。ここに示すように伝達部材７３と押圧部材７２はねじ締結されている。伝達部材７３に複数の雌ねじ７４２が形成され、押圧部材７２にはこの雌ねじ７４２とほぼ対向する位置に長孔７４１が形成されており、上下方向に押圧部材７２を移動することができる。また、伝達部材７３と押圧部材７２はローレットねじ７４３を用いて締結しており、工具が不要となっている。ここで、ローレットねじの代わりに蝶ナット、蝶ボルトを使用することもでき、ローレットねじと同様に工具不要で締結、取り外し可能となる。
この構造により押圧位置調整機構７４を形成しており、スプレーボトル１０の押圧部１０１の押し込み位置を自在に変更することができるため、ノズル１０２の高さ位置、すなわち噴霧高さを調整することが可能となる。
【００３６】
図５は図４とは逆側から足踏み力伝達機構７を見た図である。
図５に示すように、支柱４に接続されたガイド４５が足踏み力伝達機構７の移動方向を規制している。ガイド４５はコの字形状をしており、足踏み力伝達機構７をこの間に通すことで横方向へのずれを防止し、上下方向への移動をガイドしている。
足踏みペダル３を踏み込んでこの足踏み力伝達機構７を上下方向に移動させるのであるが、ガイド４５と接触して踏み込みの操作感が悪くなることがある。それを避けるために足踏み力伝達機構７がガイド４５を接触する可能性がある部位に樹脂シートを潤滑部材７５として貼付した。ここではすべりを良くするためにテフロン（登録商標）シートを用いたが、これに限るものではなく、敷居スベリ（商品名）等安価に入手できるものでよい。
また、この潤滑部材７５は足踏み力伝達機構７の片面でなく、図４に示すように反対面にも貼付する方が望ましい。
【００３７】
次に第２の実施例について説明する。
図６〜図８は第２の実施例の足踏み力伝達機構７を説明するものである。
図６に示すように、第２の実施例の足踏み力伝達機構７は第１の実施例の伝達部材７３を鎖７６に変えた態様である。
係止部材７４４を押圧部材７２に取り付け、係止部材３２を足踏みペダル３に取り付ける。鎖７６の両端を係止部材３２、７４４に係止することで、足踏みペダル３の踏み込み動作を押圧部材７２に伝達して回動Ａを移動Ｂに変換する。
踏み込みを解除すると足踏みペダル３が元の位置に戻るように、押圧部材７２と支柱に固定される弾性部材固定部材７７の間に付勢ばね７１が配置されている。
踏み込み力を押圧部材７２に伝達するものとして鎖７６を用いているので、押圧部材７２の高さ位置を調整する際、鎖７６の係止部材７４４、３２に引っ掛ける位置を変更するだけであり、ねじ締結すら必要ないため、調整時の作業が非常に簡便に行える。
【００３８】
押圧部材７２の高さを大きく下げるように調整する場合では、付勢ばね７１の伸び量が調整前と比べて大きくなり、足踏みペダル３の踏み込み力も大きくなる。調整量が微量であるなら付勢ばね７１の踏み込み力の相違は無視できるが、調整量が大きくなれば踏み込み力も増大して、踏み込みの操作感が悪くなってしまう。
これを抑制するため、弾性部材固定部材７７も上下方向に位置調整ができるように長孔７７１としている。この締結もローレットねじ７７２を用いることで工具を不要としている。ここで、ローレットねじの代わりに、蝶ナット、蝶ボルトを使用することができ、ローレットねじと同様に工具不要とすることができる。
【００３９】
また図７、図８に示すようにガイド４５と接触する部位には潤滑部材７５を押圧部材７２の両面に貼付しているのは第１の実施例と同様である。
【００４０】
以上説明してきたように足踏みスタンド１は多種多様なスプレーボトルに対応ができ、加えてノズル位置も自在に高さ調整ができるものである。このノズル高さは８０ｃｍ〜１００ｃｍとすることが一般的には望ましい。このような高さとすることで大人はかがまずにアルコール噴霧することができ、子供は背伸びをする必要がないので好適である。
【産業上の利用可能性】
【００４１】
上記第１、第２の実施例ではアルコール消毒を例にとって説明してきたが、スプレーボトルとしてこれに限るものでないことは言うまでもない。
例えばシャワー室等に配置してシャンプー容器に対して用いれば、髪や体を洗っているときに洗剤を足で操作できるので便利である。
【符号の説明】
【００４２】
１・・・足踏みスタンド
２・・・基台
３・・・足踏みペダル
３１・・・回動ピン
３２・・・係止部材
４・・・支柱
４１・・・切り欠き部
４２・・・上端
４３・・・下端
４４・・・雌ねじ
４５・・・ガード
５・・・ボトル置台
５１・・・挿抜板
５２・・・スリット
５３・・・固定部材
５４・・・長孔
５５・・・ローレットねじ
５６・・・係止ピン
５７・・・係止ピン紛失防止用ワイヤ
５８・・・ピン穴
５９ａ・・・立設壁
５９ｂ・・・他方の立設壁
６・・・カバー
７・・・足踏み力伝達機構
７１・・・弾性部材（付勢ばね）
７２・・・押圧部材
７３・・・伝達部材
７４・・・押圧位置調整機構
７４１・・・長孔
７４２・・・雌ねじ
７４３・・・ローレットねじ
７４４・・・係止部材
７５・・・潤滑部材（樹脂シート）
７６・・・鎖
７７・・・弾性部材固定部材
７７１・・・長孔
７７２・・・ローレットねじ
１０・・・スプレーボトル
１０１・・・押圧部
１０２・・・ノズル
１０３・・・容器
Ａ・・・足踏みペダル回動方向
Ｂ・・・押圧部材移動方向
【図１】
0003231410.tif 000003
【図２】
0003231410.tif 000004
【図３】
0003231410.tif 000005
【図４】
0003231410.tif 000006
【図５】
0003231410.tif 000007
【図６】
0003231410.tif 000008
【図７】
0003231410.tif 000009
【図８】
0003231410.tif 000010